(57)【要約】      （修正有）【課題】指からの発汗を記録すると同時に、発汗状態をもたらすヒトへの生理的負荷のヒトの身体の映像を観察することを容易に行えるようにし、発汗状態と該発汗を誘起するヒトの動きとが記録保存できる発汗同時観察記録装置を提供する。【解決手段】発汗量が測定できる局所発汗プローブからの信号と、発汗量をもたらすヒトの生理的負荷の活動を撮影してビデオ信号および音声信号を出力するカメラからの信号とを同時に記録できる発汗同時観察記録装置を利用し、ヒトの身体動作に誘発された発汗量の変化を該発汗量を変化を示すグラフデータとして表示するとともにカメラまたはビデオカメラによる生理的負荷を与える身体の動作の映像情報をパーソナルコンピューター画面上に同時に画像として表示するようになしたものである。【選択図】図１
0003197318.tif 000002
【実用新案登録請求の範囲】
【請求項１】
皮膚表面からの発汗をヒトの指に装着した局所発汗プローブによる発汗量としての信号と、前記発汗を誘起するヒトへの生理的負荷の状況をカメラにより撮影してビデオ信号を出力する撮像手段を有する発汗同時観察記録装置において、被験者の動きによる発汗量を記録すると同時に、発汗をもたらす生理的負荷を与えるヒトの動きを観察するための画像を映像化することを特徴とし、これら二つの信号を同一画面で表示し記録することができる発汗同時観察記録装置。
【請求項２】
請求項１における局所発汗プローブを指以外の身体のその他の部位に装着して、生理的負荷のカメラによる映像信号および音声信号および発汗量の信号とともに記録する発汗同時観察記録装置。
【請求項３】
局所発汗プローブを身体に装着し発汗量の信号を得ると同時に、身体の皮膚表面の動きを高倍率の撮像手段で映像信号を同時にとらえる請求項１記載の発汗同時観察記録装置。
【考案の詳細な説明】
【技術分野】
【０００１】
本考案は、発汗同時観察記録装置に関するものであり、指からの発汗を記録すると同時に、発汗をもたらした生理的刺激に関わる動作を同時に映像として記録することが出来るものである。
【背景技術】
【０００２】
従来、発汗は発汗計で発汗量を計測することが行われてきた。発汗量だけでなく、さらに発汗映像と組みあわせた技術として、発汗現象を見ながら同時に発汗量を測定する技術が開示されてきた。すなわち指の１平方センチメートルの発汗量とその場の発汗の映像を同時に撮像することが出来る技術を考案者らが提案した特許文献１および特許文献２に開示されている。特許文献１および特許文献２に開示された技術をさらに進めて、指先などの発汗量を測定する発汗量と発汗を誘発する身体動作の映像の同時記録ができれば、緊張状態にあることや健康状態を確認する指標となるが未だ考案されていない。
また、発汗計を用いずに発汗部位を特定する技術として、特開２００９−２１３７２８号公報(特許文献３)は、被検者に不快感が生ずることがなく、発汗部位を測定・特定可能な発汗部位特定システムを提供することを課題として、その解決手段として発汗部位特定システムにより、被検者に対して測定用シールドウェアを着衣させ、測定用シールドウェアを着衣した被検者に対して赤外線投光器を用いて赤外線を照射することによって、発汗部位を特定する。被検者に対して投射された赤外線のうち特定波長の赤外線は、測定用シールドウェアに吸収された汗によって吸収される。このため、赤外線を照射した被検者を赤外線用ＣＣＤカメラによって撮像すると、測定用シールドウェアのうち汗を吸収した部位については、コントラストが低く、黒く撮像される。このようにして、発汗部位特定システムは、容易に被検者の発汗部位を特定するものであり、緊張状態を確認したりするものではなく衣類の汗での汚れを確認するものであり、本考案への転用は不可能である。
またさらに、特開２００３−１８７２５１号公報(特許文献４)として、肌、毛髪、または爪の状態の分析を改善および／または容易にし、美容分析における特徴抽出を行うことができる方法、組み合わせ、装置、システム、および製造品を提供することを課題として、美容分析を行う方法について開示があり、当該方法は、対象者の身体外部の状態の少なくとも一部分についての情報を受信することと、該情報で少なくとも１つの状態を同定することと、該情報から少なくとも１つの状態の少なくとも１つの特徴を抽出することと、および該少なくとも１つの特徴を反映する抽出された情報を記憶することを含むものであり、本考案のように同時に観察記録するものとなっていない。      
【先行技術文献】
【特許文献】
【０００３】
【特許文献１】特許第２８３１６１８号。
【特許文献２】特許第２５０８５３８号
【特許文献３】特許公開２００９−２１３７２８号公報
【特許文献４】特許公開２００３−１８７２５１号公報
【特許文献５】特願平１−２３９６０４号
【考案の概要】
【考案が解決しようとする課題】
【０００４】
本考案は、指からの発汗を記録すると同時に発汗を誘起する身体の動きを撮像し、これらの二つの情報を同時に同一画面にとらえ観察が容易に行えるようにし、発汗量と該発汗を誘起する生理的負荷の状態の画面が同時に記録保存できる装置を提供することが課題である。
【課題を解決するための手段】
【０００５】
本考案は、パーソナルコンピューターと発汗センサーとを連結し、該センサーからの水分量情報を発汗量としてグラフデータとして表示すともに、カメラまたはビデオカメラにより撮像された画像情報をパーソナルコンピューター画面上に画像として同時に同一画面で表示するようになしたものである。
該発汗センサーは、定量的な発汗に基づく水分量の変化、すなわち発汗部位に乾燥空気を送り拍出した汗を含ませて生じた湿った空気の湿度、温度、送風量から水分量を求める局所発汗量連続測定装置（特許文献５）に用いられている局所発汗プローブを利用するものである。
この局所発汗プロ−ブは、皮膚表面からの発汗を導入する発汗導入孔と、この発汗導入孔から導入された前記発汗と外部から供給された乾燥空気とを混合して拡散気湿とする拡散室と、前記拡散室から導いた前記拡散気湿の相対湿度及び温度を検知する湿度センサー及び温度センサーを取着したセンサー室によりなり、発汗量を０．１秒の非常に小さな時定数でとらえることができる。
また、屈曲運動や腕を回す運動やボールをキャッチする動きや水を飲み込む作業などのヒトの活動を撮影してビデオ信号を出力する撮影手段からの出力情報を用いる。
発汗活動はヒトへの生理的負荷に基づいて２。５秒程度の遅れが生じる。本考案は生理的負荷の与えられた時刻を特定でき、またそれに基づいた発汗から、そのヒトへの負荷の程度が算定できる。すなわち同じ負荷であっても、ヒトによりそれを実施するときの肉体的な労働量は異なることが判定できる。
発汗量と発汗をもたらす身体の活動とを同時に記録することができれば、身体の動作のどの過程が発汗量の誘発に起因しているかが特定でき、また身体の回復の過程を見ることができる。本考案はこの課題にこたえるべく、発汗量の測定と同時にカメラにより撮像した映像情報を同時にパーソナルコンピューター（ＰＣ）の画面に映し出し同一画面で記録する手段を提供する。
【考案の効果】
【０００６】
以上説明から明らかなように本考案は、発汗による水分量を記録し、同時にヒトの身体の運動を映像によりモニタリングすることができ、刺激や緊張状態の確認が汗の拍出と連動したものとして確認できる。このことは例えば嚥下の状態や睡眠状態、排便、排尿、放屁の前兆を映像と発汗量で同時に確認することができ、健康状態の貴重なデータとして利用できるものである。また覚醒への動きや睡眠中の負荷などを人の映像と当該人に装着した局所発汗プローブからの信号から判定できる。また針治療における痛みの度合いを針治療の部位とともに記録することもでき、また骨折などの治癒の過程での痛みのやわらぎ度を映像とともに確認できる。すなわち運動機能の回復がスムーズに行われているか、あるいはまだ痛みが伴うかをその運動の負荷の状態と汗腺の拍出量から判断できる。
【図面の簡単な説明】
【０００７】
【図１】本考案の構成図である。おはじきやボールを受け取る動きをしている状態をカメラで撮像し画像の情報としてパーソナルコンピューター画面の右手に連続的に記録し、同時に指に装着した発汗局所プローブをからの発汗量信号をパーソナルコンピューター画面左手にとらえグラフとして記録される。また、画面は連続的に記録され、局所発汗プローブは代表例として指に装着している。
【図２】本考案による発汗同時観察記録装置に付設したパーソナルコンピューターの画面を示す図である。
【図３】本考案の発汗同時観察記装置を用いて、生理的負荷としてボールキャッチを実施し、その時のパーソナルコンピューターの画面を撮影し示した。画面左がボールキャッチの動作の際に生じる発汗量の出力変化をグラフで示し、画面右側がボールキャッチの動作を映しているカメラからの撮像の信号を示している。映像１は投げたボールを受け取る前で、映像２はボールを受け取っているところであり、映像３はボールを受け取った後の状態を示している。被験者左手親指と人差し指の間に局所発汗プローブを挟んでいる。なお、図３では局所発汗プローブは人差し指の指紋上に固定している。
【考案を実施するための形態】
【０００８】
以下、本考案の実施の形態を図に基づいて説明する。
【実施例】
【０００９】
実施例を図面に従って説明すると、図１は、発汗同時観察記録装置の画像を示す図であり、発汗量を確認するための局所発汗プローブは、皮膚表面からの発汗を導入する発汗導入孔と、この発汗導入孔から導入された前記発汗と外部から供給された乾燥空気とを混合して拡散気湿とする拡散室と、前記拡散室から導いた前記拡散気湿の相対湿度及び温度を検知する湿度センサー及び温度センサーを取着したセンサー室よりなる。局所発汗プローブにより得られた発汗量情報、すなわち水分量情報は図１の左画面上に時間経過とともに表示される。
発汗は自然に起こる発汗である不感蒸泄と生理的負荷に基づく発汗とがあり、生理的負荷の状態を画像としてカメラで撮影してビデオ信号および音声信号を出力し、図１の右画面に記録していく。図１画面は同一画面であり、時間の経過とその時の映像から発汗を誘発した人の生理的負荷の状態が明瞭に判明する。
【００１０】
発汗量の信号を得る局所発汗プローブへは、発汗連続観察記録装置から供給された乾燥空気を局所発汗プローブ拡散室に吹き込むため、図に示していないが発汗連続観察記録装置から延出されたフレキシブルなチュ−ブが空気供給パイプの基端部に接続されており、この空気供給パイプの先端部は拡散室に通じて、指の汗の拍出に対応した発汗量変化が得られる。
【００１１】
前記カメラから出力されたビデオ信号はモニタテレビに伝送されるため、人の活動状態と汗腺からの発汗量の変化がリアルタイムにモニタされるとともに、カメラから出力されたビデオ信号とも同時にパーソナルコンピューターに記録される。そして、パーソナルコンピューターに記録された発汗量の変化とともにヒトの動きを撮像することによって、発汗量とヒトの活動状況が同時にモニタ画面に得られる。
【００１２】
汗の拍出は身体への生理的負荷により生じるものであり、この人の生理的負荷として例えばキャッチボール、屈伸運動、発声、手や足を動かす動作等があり、この動作の映像記録を行い、同時に当該生理的負荷による発汗量を同じ記録画面、すなわちパーソナルコンピューター画面上に記録することにより、治療や病気の早期発見を行うものであり、パーソナルコンピューター画面の一例を説明すると図２に示された発汗量１、局所発汗プローブへの乾燥吸気量２、グラフ表示用メモ３、発汗量のグラフ４、経過時間５、横軸の拡大縮小６、縦軸の拡大縮小７、スムージング８、読み取りや保存の操作９、被験者情報１０、カメラ画像１１などが同時に表示されるものである。
【００１３】
図３について説明すると、本考案の発汗同時観察記装置を用いて、生理的負荷としてボールキャッチを実施した時のパーソナルコンピューターの画面を撮影し示した。
画面左がボールキャッチの動作の際に生じる発汗量の出力変化をグラフで示してある。画面右側がボールキャッチの動作を映しているカメラからの撮像の信号を示している。映像１は投げたボールを受け取る前で、映像２はボールを受け取っているところであり、映像３はボールを受け取った後の状態を示している。パーソナルコンピューター画面左のグラフについて説明すると、映像１においてグラフ右端に認められるピークは前回のボールキャッチによる刺激に基づく発汗のピークが生じている。映像２おけるグラフ右端においては、前回のボールキャッチに基づく汗の拍出量すなわち発汗量のピークが底辺に来ており該ボールキャッチ刺激による発汗への生理的負荷の影響が終了したことを示す。映像３においては映像１および映像２で示したボールキャッチ刺激に基づく汗の拍出に基づくピーク、すなわち発汗量の増加を示すピークが認められる。発汗はボールキャッチ動作を加えた後の約２．５秒後に生じるので映像１から３のグラフの変動とボールキャッチ動作によるグラフ画面の対応は適正に記録されていることを示している。
【００１４】
本考案を運動機能の回復におけるリハビリテーションにおいて実施すれば、本発汗同時観察記録装置は運動の機能の回復とともに発汗量の低減あるいは増加が現れる。
【００１５】
あるいは、本発汗同時記録装置は、のどの動きをカメラでとらえれば、嚥下の能力の判定に用いることができる。すなわち、嚥下の難易により発汗のパターンが異なり、改善がこの装置の記録により観察することができる。また、画像記録があるので、嚥下作用のからの発汗を映像の判定から特定しやすく確実に嚥下刺激による発汗量の変化やパターン変化を捉えることができる。
【００１６】
発汗量の信号は、身体の生理的負荷であっても指における発汗は非常に適切な対応をもたらすが、他の体の任意の部分に局所発汗プローブを装着することも可能であり、生理的に対応した発汗現象を得ることができる。
【００１７】
発汗量の信号およびカメラからの映像の信号は無線で発汗観察記録装置に伝送することもできる。
【００１８】
撮像する個所として身体の一部を３０倍から２０００倍まで拡大して皮膚表面の動きを動画として記録することもできる。
【産業上の利用可能性】
【００１９】
本考案は、人体からの発汗を記録すると同時に、発汗状態を観察することができるものである。これは僅かな刺激で発汗するものであるため、トランプゲーム、数あてゲームなど心の動揺などを記録することはもちろんのこと、嚥下や睡眠状態など健康管理や病名の特定に利用できるなどこと、また心の動揺を反映するので質問への返答からうそ発見器として用いられることなど発汗同時観察記録装置産業や医療機器産業で利用される。
【符号の説明】
【００２０】
１  発汗量
２  流量
３  グラフ表示用メモ
４  発汗量のグラフ
５  経過時間
６  横軸の拡大縮小
７  縦軸の拡大縮小
８  スムージング
９  読み取りや保存の操作
１０  被験者情報
１１  カメラ画像
【図１】
0003197318.tif 000003
【図２】
0003197318.tif 000004
【図３】
0003197318.tif 000005
【手続補正書】
【提出日】平成26年12月9日(2014.12.9)
【手続補正１】
【補正対象書類名】実用新案登録請求の範囲
【補正対象項目名】請求項２
【補正方法】変更
【補正の内容】
【請求項２】
請求項１における局所発汗プローブを指以外の身体のその他の部位に装着して、生理的負荷のカメラによる映像信号および音声信号および発汗量の信号とともに記録する請求項１記載の発汗同時観察記録装置。